Podtech/llm-jp-corpus-v4-ja_patent huggingface dataset:
【手続補正書】
【提出日】平成15年1月23日(2003.1.23)
【手続補正１】
【補正対象書類名】明細書
【補正対象項目名】請求項１
【補正方法】変更
【補正の内容】
【請求項１】
木質植物のクローンの生産方法であって、
‐根挿し（ｒｏｏｔ ｃｕｔｔｉｎｇ）を生産するために選別したクローンから親株を選別すること、
‐苗条及び根系を形成するために、前記親株を少なくとも一自然成長期間又はその一部の期間生育すること、
‐前記親株を前記成長期間後休眠状態で放置すること、
‐前記親株が完全に休眠期に達した後、該親株の苗条を切断すること、
‐前記親株の根系を回収すること、
‐前記親株の最薄部分を取り除き、かつ３ｍｍ以上の直径の根を切断して根挿しとし、該根挿しを必要に応じて階層化すること、
‐前記根挿しを発根状態にし、適切な培地中で発根させること、
‐植付から８週間以内に苗条の成長を開始し発根した根挿し、又は苗条及び／又は根の成長開始の兆候を示した根挿しを選別し、かつ回収すること、及び
‐選別した根挿しを生育し、植物体とすること
を特徴とする前記方法。
【手続補正書】
【提出日】平成15年4月18日(2003.4.18)
【手続補正１】
【補正対象書類名】明細書
【補正対象項目名】特許請求の範囲
【補正方法】変更
【補正の内容】
【特許請求の範囲】
【請求項１】
ポリフルオロオキセタンオリゴマー、ポリマーまたはコポリマーから誘導された少なくとも1種のポリマー繰り返し単位；
水酸基含有カルボン酸分散剤から誘導された少なくとも1種の繰り返し単位；及び
ポリオール中間体から誘導された少なくとも1種の繰り返し単位からなり；
該繰り返し単位は少なくとも1種のポリイソシアネートから誘導されたウレタン結合によって連結され、ポリウレタンが所望により連鎖延長され及び／または架橋されており；
該ポリフルオロオキセタンオリゴマー、ポリマーまたはコポリマーが下記の式：
2004502844.tif 000001
で表わされる繰り返し単位またはそれらの組み合わせを有し，上記式中ｎは同一または異なって、各繰り返しグループ上で独立して１ないし約５の整数であり、Ｒは水素原子または１ないし約６の炭素原子をもつアルキル基であり、各Ｒｆは同一または異なって、各繰り返し単位上で独立に１ないし約２０個の炭素原子をもつ線状または枝分かれしたフッ素化アルキルであって，非炭素原子の最小５０％はフッ素原子であり残りの原子はＨ，Ｉ，ＣｌまたはＢｒであり，または各Ｒｆは同一または異なって独立に４ないし約６０の炭素原子を有するペルフルオル化ポリエーテルであり、そして該Ｄｐは約２ないし約２５０であり；そして該ポリフルオロオキセタンコポリマーは、所望によりエポキシ（オキシラン）官能基を含むコモノマー、４員環エーテル基をもつモノマー、５員環エーテル基をもつモノマー、１，４−ジオキサン，１，３−ジオキサン，トリオキサンまたはカプロラクトン，またはそれらの組み合わせから誘導された少なくとも１つの繰り返し単位を有するものであることを特徴とする、ポリウレタンを含む組生物。
【請求項２】
水性媒体中に分散されたポリウレタンからなる水性ポリウレタン分散系であって、該ポリウレタンは、水酸基含有カルボン酸分散剤から誘導された少なくとも１つの繰り返し単位と酸末端基を有するポリフルオロオキセタンオリゴマー、ポリマー、またはコポリマーとポリオール中間体または該ポリオール中間体を生成する１種またはそれ以上のモノマーとの反応から誘導された、少なくとも１つのポリフルオロオキセタン−ポリオールコポリマー繰り返し単位とからなり；
該ポリフルオロオキセタンの酸末端基が２ないし２０個の炭素原子をもつジカルボン酸から誘導されたものであり、そして該ポリオール中間体がポリエステルポリオール、ポリエーテルポリオール、ポリチオエーテルポリオール、ポリアセタールポリオール、ポリオレフィンポリオール、有機ポリオール、ポリカーボネートポリオールまたはそれらの組み合わせであり；
該ポリフルオロオキセタンオリゴマー、ポリマーまたはコポリマーが下記の式：
2004502844.tif 000002
で表わされる繰り返し単位、またはそれらの組み合わせを有し、上記式中ｎは同一または異なって、各繰り返しグループで独立して１ないし約５の整数であり、Ｒは水素原子または１ないし約６の炭素原子をもつアルキル基であり、各Ｒｆは同一または異なって、各繰り返し単位上で独立に１ないし約２０個の炭素原子をもつ線状または枝わかれしたフッ素化アルキルであって非炭素原子の最少５０％フッ素原子であり残りの原子はＨ，Ｉ，ＣｌまたはＢｒ原子であるかまたは、各Ｒｆは同一または異なって独立に４ないし約６０までの炭素原子を有するペルフルオル化ポリエーテルであり、そして該Ｄｐは約２ないし約２５０であり；該ポリフルオロオキセタンコポリマーはエポキシ（オキシラン）官能基を含有するコモノマー、４員環エーテル基を有するモノマー、５員環エーテル基を有するモノマー、１，４−ジオキサン，１，３−ジオキサン，トリオキサン，カプロラクトン，またはそれらの組み合わせから誘導された少なくとも１つの繰り返し単位をもつコポリマーであり；該繰り返し単位は、少なくとも一つのポリイソシアネートから誘導されたウレタン結合によって結合されており、そして該ポリイソシアネートが式Ｒ（ＮＣＯ）ｎで表わされ、該式中ｎは約２ないし約４でありＲは約２ないし約２０の炭素原子をもつ脂肪族、芳香族、またはそれらの組み合せであり；該ヒドロキシル末端カルボン酸分散剤が式：
2004502844.tif 000003
で表わされるものであって、式中Ｒは水素原子、または１ないし約１６個の炭素原子を含むアルキル基であり、該カルボン酸分散剤はアミン中和剤で中和されており；そして該ポリウレタンは所望により連鎖延長されていることを特徴とする水性ポリウレタン分散系。
【請求項３】
下記の段階：  水酸基末端弗素化ポリオキセタンオリゴマー、ポリマー、またはコポリマーとポリカルボン酸またはその無水物とを反応させてエステル結合と遊離カルボン酸末端基とを形成する段階であって該ポリオキセタンが下記の式で表わされる構造のくり返し単位またはそれらの組み合わせを有するものであり、
2004502844.tif 000004
上記式中、各々ｎは独立に１ないし約５であり、そして各Ｒｆは独立に１ないし約２０個の炭素原子をもつ線状または枝わかれ状のアルキル基を表わし，該アルキル基の水素原子の最小５０パーセントは弗素原子で置換されており、または各Ｒｆ基は独立に４ないし６０個の炭素原子をもつペルフルオル化ポリエーテルであり、そしてＤｐが約２ないし約２５０であり；
該エステル結合と遊離酸末端基を有する該ポリオキセタンと少なくとも１種のポリオール中間体または該ポリオール中間体を生成する１種またはそれ以上のモノマーと反応させて少なくとも１種のポリフルオロオキセタンポリオールコポリマー繰り返し単位を形成する段階；該ポリフルオロオキセタンーポリオールコポリマー繰り返し単位と少なくとも１種のポリイソシアネートとを水酸基含有カルボン酸分散剤の存在下で反応させて該ポリウレタン組生物を生成する段階であって、該水酸基末端カルボン酸分散剤は１個またはそれ以上のカルボキシル基と２個またはそれ以上の水酸基を含むものであり；
該ポリオール中間体は、１種またはそれ以上のポリエールポリオール、１種またはそれ以上のポリチオエーテルポリオール、１種またはそれ以上のポリカーボネートポリオール、１種またはそれ以上のポリアセタールポリオール、１種またはそれ以上のポリオレフィンポリオール、１種またはそれ以上の有機ポリオール、１種またはそれ以上のポリエステルポリオールまたはそれらの組み合わせからなり、所望により該ポリフルオロオキセタンはエポキシ（オキシラン）官能基を含有するモノマー、４員環エーテル基を有するモノマー、５員環エーテル基を有するモノマー、１，４−ジオキサン，１，３−ジオキサン，トリオキサン，カプロラクトン，またはそれらの組み合わせから誘導された少なくとも１つの繰り返し単位をもつコポリマーであり；
該ポリウレタンを中和する段階；該中和されたポリウレタンを水中に分散させる段階；
所望により該ポリウレタンを連鎖延長する段階；からなることを特徴とする水性ポリウレタン分散系を生成する方法。
【手続補正書】
【提出日】平成16年5月18日(2004.5.18)
【手続補正１】
【補正対象書類名】明細書
【補正対象項目名】特許請求の範囲
【補正方法】変更
【補正の内容】
【特許請求の範囲】
【請求項１】  便器ボウルの縁の下から液状組成物を加えるためのディスペンサーを含む便器用の清涼化および／または洗浄システムであって、前記の液状組成物の粘度が２５００ｍＰａｓをこえる、システム。
【請求項２】  前記の液状組成物の粘度が６０００ｍＰａｓ未満である、請求項１に特許請求されたシステム。
【請求項３】  前記の液状組成物の粘度が、３０００から５０００ｍＰａｓの範囲内である、請求項２に特許請求されたシステム。
【請求項４】  前記の液状組成物の粘度が３５００ｍＰａｓ未満である、請求項３に特許請求されたシステム。
【請求項５】  前記の液状組成物が界面活性剤を含む、先行する請求項のいずれかにおいて特許請求されたシステム。
【請求項６】  前記の界面活性剤の全濃度が５から３５重量％の範囲内である、請求項５に特許請求されたシステム。
【請求項７】  前記の界面活性剤の全濃度が実質的に２２．５重量％である、請求項６に特許請求されたシステム。
【請求項８】  前記の界面活性剤がアニオン性界面活性剤またはノニオン性界面活性剤のいずれか、または、それらの組み合わせである、請求項５〜７のいずれか１項に特許請求されたシステム。
【請求項９】  少なくとも１種のアニオン性界面活性剤を構成するアルキルエーテル硫酸塩を含む、請求項８に特許請求されたシステム。
【請求項１０】  少なくとも１種のノニオン性界面活性剤を構成するエトキシル化合成アルコールを含む、請求項８または請求項９に特許請求されたシステム。
【請求項１１】  前記の液状組成物が芳香物質をさらに含む、先行する請求項のいずれかにおいて特許請求されたシステム。
【請求項１２】  前記の芳香物質の全濃度が４〜１５重量％の範囲内である、請求項１１に特許請求されたシステム。
【請求項１３】  前記の芳香物質の全濃度が実質的に６重量％である、請求項１１または請求項１２に特許請求されたシステム。
【請求項１４】  前記の液状組成物が増粘剤を含む、先行する請求項のいずれかにおいて特許請求されたシステム。
【請求項１５】  前記の増粘剤の濃度が、共存していてもよい全ての界面活性剤および芳香物質とは別に、０．２〜５重量％の範囲内である、請求項１４に特許請求されたシステム。
【請求項１６】  前記の増粘剤がヒドロキシエチルセルロースである、請求項１４または請求項１５に特許請求されたシステム。
【請求項１７】  前記の液状組成物が、１種または複数の金属イオン封鎖剤、ｐＨ調節剤、色素および防腐剤をさらに含む、先行する請求項のいずれかにおいて特許請求されたシステム。
【請求項１８】  便器ボウル中において、先行する請求項のいずれかにおいて特許請求された便器用の清涼化および／または洗浄システムを使用する方法。
【請求項１９】  先に実質的に記述された、便器ボウルの縁の下から液状組成物を加えるためのディスペンサーを含む、便器用の清涼化および／または洗浄システム。
【請求項２０】  先に実質的に記述された便器用の清涼化および／または洗浄システムを、便器ボウルにおいて使用する方法。
【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
フリーラジカル重合の条件下、モノマーの水溶液の重合を開始して、ポリマー溶液を形成し、モノマー重合が３０％以上進行後、１種以上の構造修飾剤をポリマー溶液へ加えることによって、調製された構造修飾水溶性ポリマー。
【請求項２】
前記構造修飾水溶性ポリマーがエマルジョンポリマー、分散ポリマー及びゲルポリマーからなる群から選ばれる請求項１に記載の構造修飾水溶性ポリマー。
【請求項３】
前記モノマーがアクリルアミド又はメタクリルアミドから選ばれ、及び、塩化ジアリルジメチルアンモニウム、アクリル酸ジメチルアミノエチル塩化メチル４級塩、塩化アクリルアミドプロピルトリメチルアンモニウム、メタクリル酸ジメチルアミノエチル塩化メチル４級塩、塩化メタクリルアミドプロピルトリメチルアンモニウム、アクリル酸、アクリル酸ナトリウム、アクリル酸アンモニウム、メタクリル酸、メタクリル酸ナトリウム、及びメタクリル酸アンモニウムからなる群から選ばれる１種又は２種以上のモノマーである請求項１又は２に記載の構造修飾水溶性ポリマー。
【請求項４】
前記構造修飾剤が架橋剤、連鎖移動剤及びこれらの混合物からなる群から選ばれる請求項１乃至３いずれかに記載の構造修飾水溶性ポリマー。
【請求項５】
前記連鎖移動剤がアルコール、硫黄化合物、カルボン酸或いはそれらの塩、亜リン酸塩、及びこれらの組み合わせからなる群から選ばれる請求項４に記載の構造修飾水溶性ポリマー。
【請求項６】
前記連鎖移動剤がギ酸ナトリウム又は次亜リン酸ナトリウムからなる群から選ばれる請求項５に記載の構造修飾水溶性ポリマー。
【請求項７】
前記架橋剤がＮ,Ｎ−メチレンビスアクリルアミド、Ｎ,Ｎ−メチレンビスメタクリルアミド、トリアリルアミン、トリアリルアンモニウム塩類、ジメタクリル酸エチレングリコール、ジメタクリル酸ジエチレングリコール、ジアクリル酸ポリエチレングリコール、ジメタクリル酸ポリエチレングリコール、Ｎ−ビニルアクリルアミド、Ｎ−メチルアリルアクリルアミド、ビニルトリメトキシシラン、及びこれらの組み合わせからなる群から選ばれる請求項４に記載の構造修飾水溶性ポリマー。
【請求項８】
フリーラジカル重合の条件下、モノマーの水溶液の重合を開始して、ポリマー溶液を形成する工程及び、モノマー重合が３０％以上進行後、１種以上の構造修飾剤をポリマー溶液へ加える工程を含む、構造修飾水溶性ポリマーの調製方法。
【請求項９】
請求項１に記載の構造修飾水溶性ポリマーの凝集有効量を懸濁液に加える工程を含む、有機物の水性懸濁液を凝集する方法。
【請求項１０】
請求項１に記載の構造修飾水溶性ポリマーの凝集有効量を排水に加える工程を含む、排水を浄化する方法。
【請求項１１】
請求項１に記載の構造修飾水溶性ポリマーの有効量を完成紙料に加える工程を含む、完成紙料の製紙における定着と排水を増加させる方法。
【請求項１２】
完成紙料に微粒子及び／又は完成紙料に凝析剤を加える工程をさらに含む請求項１１に記載の方法。
【請求項１３】
請求項１に記載の構造修飾水溶性ポリマーの有効量をスラリーに加える工程を含む、水性石炭廃棄物スラリーを凝集する方法。
【手続補正２】
【補正対象書類名】明細書
【補正対象項目名】００５８
【補正方法】変更
【補正の内容】
【００５８】
別の好ましい態様について、モノマーは、アクリルアミド又はメタクリルアミドから選ばれ、及び、塩化ジアリルジメチルアンモニウム、アクリル酸ジメチルアミノエチル塩化メチル４級塩、塩化アクリルアミドプロピルトリメチルアンモニウム、メタクリル酸ジメチルアミノエチル塩化メチル４級塩、塩化メタクリルアミドプロピルトリメチルアンモニウム、アクリル酸、アクリル酸ナトリウム、アクリル酸アンモニウム、メタクリル酸、メタクリル酸ナトリウム及びメタクリル酸アンモニウムからなる群から選ばれる１種又は２種以上のモノマーである。
【手続補正書】
【提出日】平成15年2月26日(2003.2.26)
【手続補正１】
【補正対象書類名】明細書
【補正対象項目名】特許請求の範囲
【補正方法】変更
【補正の内容】
【特許請求の範囲】
【請求項１】
式構造Ａ−Ｂ−Ｃ−ＡまたはＡ−Ｂ−Ｃ−Ｂ−Ａのブロック共重合体または水素添加ブロック共重合体であって、各Ａが芳香族ビニル炭化水素のブロックであり、５，０００〜５０，０００の重量平均分子量を有しており、（水素添加前の）各Ｂが１，０００〜１５，０００の重量平均分子量および２５重量％未満のビニル含量を有するポリブタジエンのブロックであり、（水素添加前の）Ｃが２５，０００〜２００，０００の重量平均分子量を有し、３５〜９０重量％のビニル含量を有するエラストマー状共役ジエンポリマーのブロックである、該ブロック共重合体。
【請求項２】
Ｃおよび各Ｂが、１％未満の残留不飽和を有する請求項１に記載の水素添加ブロック共重合体。
【請求項３】
配合物であって、請求項１または２に記載のブロック共重合体１００部と、ポリオレフィン０〜３００重量部と、油０〜４００重量部とを含む、ただし、ポリオレフィンと油の量は両方とも０であることはない配合物。
【手続補正書】
【提出日】平成15年4月2日(2003.4.2)
【手続補正１】
【補正対象書類名】明細書
【補正対象項目名】特許請求の範囲
【補正方法】変更
【補正の内容】
【特許請求の範囲】
【請求項１】
少なくとも１種の膜形成剤、及び少なくとも０．００１ｗｔ％の少なくとも１種のシラン化合物の水溶液を含有する研磨組成物。
【請求項２】
前記膜形成剤が、少なくとも１種の窒素含有環状化合物を含む、請求項１に記載の研磨組成物。
【請求項３】
前記膜形成剤が、イミダゾール、ベンゾトリアゾール、ベンズイミダゾール、及びベンゾチアゾール、並びにヒドロキシ、アミノ、イミノ、カルボキシ、メルカプト、ニトロ及びアルキル置換基を有するそれらの誘導体、並びに尿素及びチオ尿素等である、請求項１に記載の研磨組成物。
【請求項４】
前記膜形成剤が、ベンゾトリアゾールである、請求項３に記載の研磨組成物。
【請求項５】
０．０１〜１．０ｗｔ％の膜形成剤を含有する、請求項１に記載の研磨組成物。
【請求項６】
前記シランが溶解状態である、請求項１に記載の研磨組成物。
【請求項７】
前記シランが、アミノシラン、ウレイドシラン、アルコキシシラン、アルキルシラン、メルカプトシラン、チオシアナトシラン、ビニルシラン、メタクリルシラン、シアノシラン、官能化シラン、ジシラン、トリシラン及びそれらの組み合わせから成る群より選択される、請求項１に記載の研磨組成物。
【請求項８】
前記シランが、式Ｙ−Ｓｉ−（Ｘ1Ｘ2Ｒ）の化合物、そのダイマー、トリマー及びオリゴマーである（Ｙ、Ｒ、Ｘ1及びＸ2は、各々独立にヒドロキシ基（−ＯＨ）、加水分解性置換基及び非加水分解性置換基から選択される）、請求項１に記載の研磨組成物。
【請求項９】
前記シランが、グリシドキシプロピルトリアルコキシシラン、イソシアナトプロピルトリアルコキシシラン、ウレイドプロピルトリアルコキシシラン、メルカプトプロピルトリアルコキシシラン、シアノエチルトリアルコキシシラン、４，５−ジヒドロ−ｌ−（３−トリアルコキシシリルプロピル）イミダゾール、３−（トリアルコキシシリル）−メチルエステルプロパン酸、トリアルコキシ［３−（オキシラニルアルコキシ）プロピル］−シラン、２−メチル，３−（トリアルコキシシリル）プロピルエステル２−プロペン酸、［３−トリアルコキシシリル）プロピル］尿素、及びそれらの混合物からなる群より選択されるシラン、２つの加水分解性置換基を有するシラン、例えばクロロプロピルメチルジアルコキシシラン、１，２−エタンジイルビス［アルコキシジメチル］シラン、ジアルコキシメチルフェニルシラン、及びそれらの混合物、並びに１つの加水分解性置換基を有するシラン、例えばシアノプロピルジメチルアルコキシシラン、Ｎ，Ｎ’−（アルコキシメチルシリレン）ビス［Ｎ−メチル−ベンズアミド］、クロロメチルジメチルアルコキシシラン、及びそれらの混合物からなる群より選択される、請求項８に記載の研磨組成物。
【請求項１０】
前記シランが、ウレイドプロピルトリメトキシシランである、請求項８に記載の研磨組成物。
【請求項１１】
０．００１〜５．０ｗｔ％のシランを含有する、請求項１に記載の研磨組成物。
【請求項１２】
少なくとも１種の研磨材を更に含有する、請求項１に記載の研磨組成物。
【請求項１３】
前記シランの少なくとも一部が前記研磨材に結合している、請求項１２に記載の研磨組成物。
【請求項１４】
前記研磨材が、アルミナ、チタニア、ジルコニア、ゲルマニア、シリカ、セリア、及びそれらの混合からなる群より選択される、請求項１２に記載の研磨組成物。
【請求項１５】
前記研磨材がシリカである、請求項１４に記載の研磨組成物。
【請求項１６】
前記研磨材が１〜３０ｗｔ％の量で存在する、請求項１２に記載の研磨組成物。
【請求項１７】
０．０１〜０．５ｗｔ％のベンゾトリアゾール、及び０．０５〜１．０ｗｔ％のウレイドプロピルトリメトキシシランを含有する、請求項１に記載の研磨組成物。
【請求項１８】
１〜３０ｗｔ％のシリカ研磨材を含有する、請求項１７に記載の研磨組成物。
【請求項１９】
（ａ）少なくとも１つの構造物を有する基材を移動させて、研磨パッドと接触させること、
（ｂ）前記研磨パッドに対して前記基材を動かして、前記基材構造物の少なくとも一部を除去すること、及び
（ｃ）請求項１〜１５のいずれかに記載の液体研磨組成物を、前記研磨パッドに適用すること、
を含む、基材の研磨方法。
【請求項２０】
研磨される前記構造物が金属構造物である、請求項１９に記載の方法。
【請求項２１】
前記金属構造物が、アルミニウム、銅、チタン、窒化チタン、タンタル、窒化タンタル、タングステン、窒化タングステン、それらの酸化物、それらの合金、及びそれらの混合からなる群より選択される、請求項２０に記載の方法。
【請求項２２】
前記金属構造物が、銅及び銅合金から選択される金属である、請求項２０に記載の方法。
【請求項２３】
前記基材を前記研磨パッドに接触させる前に、前記研磨組成物を前記研磨パッドに適用する、請求項１９に記載の方法。
【請求項２４】
前記研磨パッドを前記基材表面に対して動かしているときに、前記研磨組成物を前記研磨パッドに適用する、請求項１９に記載の方法。
【請求項２５】
前記研磨パッドが研磨材含有研磨パッドである、請求項１９に記載の方法。
【手続補正書】
【提出日】平成15年12月11日(2003.12.11)
【手続補正１】
【補正対象書類名】明細書
【補正対象項目名】請求項６
【補正方法】変更
【補正の内容】
【請求項６】
前記シラン化合物が、グリシドキシプロピルトリアルコキシシラン、イソシアナトプロピルトリアルコキシシラン、ウレイドプロピルトリアルコキシシラン、メルカプトプロピルトリアルコキシシラン、シアノエチルトリアルコキシシラン、４，５−ジヒドロ−ｌ−（３−トリアルコキシシリルプロピル）イミダゾール、３−（トリアルコキシシリル）−メチルエステルプロパン酸、トリアルコキシ［３−（オキシラニルアルコキシ）プロピル］−シラン、２−メチル，３−（トリアルコキシシリル）プロピルエステル２−プロペン酸、［３−トリアルコキシシリル）プロピル］尿素、及びそれらの混合物からなる群より選択される、請求項４に記載の研磨スラリー。
【手続補正２】
【補正対象書類名】明細書
【補正対象項目名】請求項１６
【補正方法】変更
【補正の内容】
【請求項１６】
前記シランが、グリシドキシプロピルトリアルコキシシラン、イソシアナトプロピルトリアルコキシシラン、ウレイドプロピルトリアルコキシシラン、メルカプトプロピルトリアルコキシシラン、シアノエチルトリアルコキシシラン、４，５−ジヒドロ−ｌ−（３−トリアルコキシシリルプロピル）イミダゾール、３−（トリアルコキシシリル）−メチルエステルプロパン酸、トリアルコキシ［３−（オキシラニルアルコキシ）プロピル］−シラン、２−メチル，３−（トリアルコキシシリル）プロピルエステル２−プロペン酸、［３−（トリアルコキシシリル）プロピル］尿素、［クロロプロピルメチルジアルコキシシラン、１，２−エタンジイルビス［アルコキシジメチル］シラン、ジアルコキシメチルフェニルシラン、シアノプロピルジメチルアルコキシシラン、Ｎ，Ｎ´−（アルコキシメチルシリレン）ビス［Ｎ−メチル−ベンズアミド］、クロロメチルジメチルアルコキシシラン、及びそれらの混合物からなる群より選択される、請求項２に記載の化学機械研磨スラリー。
【手続補正３】
【補正対象書類名】明細書
【補正対象項目名】請求項２１
【補正方法】変更
【補正の内容】
【請求項２１】
前記溶液が、０.０２〜５.０重量％のシランを含有する、請求項２に記載の研磨スラリー。
【手続補正４】
【補正対象書類名】明細書
【補正対象項目名】請求項２６
【補正方法】変更
【補正の内容】
【請求項２６】
少なくとも１種の研磨材及び溶解状態の少なくとも１種の可溶性シラン化合物を含有する水性化学機械研磨スラリーであって、前記可溶性シラン化合物が０.０２〜５.０重量％の範囲内の量で溶液中に存在しており、前記シラン化合物が、式Ｙ−Ｓｉ−（Ｘ1Ｘ2Ｒ）の化合物、そのダイマー、トリマー及びオリゴマーであり、ここでＲ、Ｘ1、Ｘ2及びＹから選択される１つの置換基が、ヒドロキシ基又は加水分解性部分から選択され、Ｒ、Ｘ1、Ｘ2及びＹから選択される３つの置換基が、非加水分解性部分であり、また少なくとも１種の非加水分解性置換基が、各々２〜２５個の炭素原子をもつアルキル又は官能化アルキル部分から選択される、水性化学機械研磨スラリー。
【手続補正５】
【補正対象書類名】明細書
【補正対象項目名】請求項２７
【補正方法】変更
【補正の内容】
【請求項２７】
（ａ）溶解状態の少なくとも１種の官能化アルキルシラン化合物及び少なくとも１種の研磨材を含有する溶液を含む研磨組成物を、研磨パッドに塗布すること；
（ｂ）基材表面構造物が研磨パッドと接触するようにして、基材を移動させて研磨パッドと接触させること；及び
（ｃ）前記基材表面に対して研磨パッドを動かすこと、
を含む、基材表面構造物の研磨方法。
【手続補正６】
【補正対象書類名】明細書
【補正対象項目名】請求項２８
【補正方法】変更
【補正の内容】
【請求項２８】
（ａ）式Ｙ−Ｓｉ−（Ｘ1Ｘ2Ｒ）の化合物、そのダイマー、トリマー及びオリゴマーの、溶解状態の少なくとも１種のシランを含有する溶液を含む研磨組成物を、研磨パッドに塗布すること（Ｘ1、Ｘ2及びＹは各々独立に、ヒドロキシ基、加水分解性置換基及び非加水分解性置換基から選択され、Ｒは非加水分解性置換基）；
（ｂ）  基材表面構造物が研磨パッドと接触するようにして、基材を移動させて研磨パッドと接触させること；及び
（ｃ）  前記基材表面に対して研磨パッドを動かすこと、
を含む、基材表面構造物の研磨方法。
【手続補正７】
【補正対象書類名】明細書
【補正対象項目名】請求項４５
【補正方法】変更
【補正の内容】
【請求項４５】
前記アルキル及び官能化アルキル置換基がそれぞれ２〜２５の炭素原子を有する、請求項４４に記載の方法。
【手続補正８】
【補正対象書類名】明細書
【補正対象項目名】請求項４９
【補正方法】変更
【補正の内容】
【請求項４９】
前記シランが、グリシドキシプロピルトリアルコキシシラン、イソシアナトプロピルトリアルコキシシラン、ウレイドプロピルトリアルコキシシラン、メルカプトプロピルトリアルコキシシラン、シアノエチルトリアルコキシシラン、４，５−ジヒドロ−ｌ−（３−トリアルコキシシリルプロピル）イミダゾール、３−（トリアルコキシシリル）−メチルエステルプロパン酸、トリアルコキシ［３−（オキシラニルアルコキシ）プロピル］−シラン、２−メチル，３−（トリアルコキシシリル）プロピルエステル２−プロペン酸、［３−（トリアルコキシシリル）  プロピル］尿素、クロロプロピルメチルジアルコキシシラン、１，２−エタンジイルビス［アルコキシジメチル］シラン、ジアルコキシメチルフェニルシラン、シアノプロピルジメチルアルコキシシラン、Ｎ，Ｎ´−（アルコキシメチルシリレン）ビス［Ｎ−メチル−ベンズアミド］、クロロメチルジメチルアルコキシシラン、及びそれらの混合物からなる群より選択される、請求項２８に記載の方法。
【手続補正９】
【補正対象書類名】明細書
【補正対象項目名】請求項５２
【補正方法】変更
【補正の内容】
【請求項５２】
前記研磨組成物が、０.０２〜５.０重量％のシランを含有する、請求項２８に記載の方法。
【手続補正書】
【提出日】平成15年2月24日(2003.2.24)
【手続補正１】
【補正対象書類名】明細書
【補正対象項目名】特許請求の範囲
【補正方法】変更
【補正の内容】
【特許請求の範囲】
【請求項１】
持続性撥水性および改良された持続性汚れ放出性を得るために基体を処理する方法であって、
フルオロカーボンポリマー固体と親水性汚れ放出ポリマー固体の比が１：１〜５：１の範囲にあり、混合物のｐＨが約４〜７である、フルオロカーボンポリマーと親水性汚れ放出ポリマーを有する混合物を提供する工程、
前記混合物を織物基体に適用する工程、及び
前記被覆された基体を乾燥する工程
を具備する基体の処理方法。
【請求項２】
それに持続性撥水性および改良された持続性汚れ放出性を付与するために織物基体または他の材料を処理するための混合物であって、
１：１〜５：１の範囲の濃度比を有し、ｐＨが約４〜７である、フルオロカーボンポリマーと親水性汚れ放出ポリマーを具備する混合物。
【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】  シリカ、アルミナ、セリアおよびこれらの混合物からなる群から選択される研磨材；および
過酸化水素、フェロシアン化カリウム、二クロム酸カリウム、ヨウ素酸カリウム、臭素酸カリウム、三酸化バナジウム、次亜塩素酸、次亜塩素酸ナトリウム、次亜塩素酸カリウム、次亜塩素酸カルシウム、次亜塩素酸マグネシウム、硝酸鉄、過硫酸アンモニウム、過マンガン酸カリウムおよびこれらの混合物からなる群から選択される酸化剤
を含み、
少なくとも３０日の有効貯蔵寿命を有する、化学的機械的研磨スラリー組成物。
【請求項２】  スラリーが、１４日の期間にわたり、該スラリーの初期ｐＨから０.５ｐＨ単位のｐＨ安定性を有する、請求項１に記載の組成物。
【請求項３】  研磨材が、スラリーの全重量に対して１％〜２０％の量で存在するシリカである、請求項１に記載の組成物。
【請求項４】  シリカがヒュームドシリカである、請求項１に記載の組成物。
【請求項５】  酸化剤が過酸化水素である、請求項１に記載の組成物。
【請求項６】  有効貯蔵寿命が少なくとも６０日である、請求項１に記載の組成物。
【請求項７】  有効貯蔵寿命が少なくとも９０日である、請求項１に記載の組成物。
【請求項８】  さらに、スラリーの全重量に対して０.１０％〜７％の量で存在する酸を含む、請求項１に記載の組成物。
【請求項９】  酸がギ酸、酢酸、プロパン酸、ブタン酸、ペンタン酸、ヘキサン酸、ヘプタン酸、オクタン酸、ノナン酸、乳酸、塩酸、硝酸、リン酸、硫酸、フッ化水素酸、リンゴ酸、酒石酸、グルコン酸、クエン酸、フタル酸、ピロカテコール酸、ピロガロールカルボン酸、没食子酸、タンニン酸およびこれらの混合物からなる群から選択される、請求項８に記載の組成物。
【請求項１０】  さらに、スラリーの全重量に対して５０ppm〜２００ppmの量で存在する腐食防止剤を含む、請求項１に記載の組成物。
【請求項１１】  腐食防止剤がベンゾトリアゾール、６−トリルトリアゾール、１−（２,３−ジカルボキシプロピル）ベンゾトリアゾールおよびこれらの混合物からなる群から選択される、請求項１０に記載の組成物。
【請求項１２】  さらに、スラリーの全重量に対して１０ppm〜５０ppmの量で存在する界面活性剤を含む、請求項１に記載の組成物。
【請求項１３】  界面活性剤が非イオン界面活性剤、アニオン界面活性剤、カチオン
界面活性剤、両性界面活性剤およびこれらの混合物からなる群から選択される、請求項１２に記載の組成物。
【請求項１４】  さらに、スラリーの全重量に対して０.００１％〜１％の量で存在する安定剤を含む、請求項１に記載の組成物。
【請求項１５】  安定剤が水酸化カリウム、水酸化アンモニウムおよびこれらの混合物からなる群から選択される、請求項１４に記載の組成物。
【請求項１６】  さらに、アミン、フッ素含有化合物、キレート化剤、塩およびこれらの混合物からなる群から選択される随意の添加剤を含む、請求項１に記載の組成物。
【請求項１７】  アミンがヒドロキシルアミン、モノエタノールアミン、ジエタノールアミン、トリエタノールアミン、ジエチレングリコールアミン、Ｎ−ヒドロキシルエチルピペラジンおよびこれらの混合物からなる群から選択される、請求項１６に記載の組成物。
【請求項１８】  フッ素含有化合物がフッ化水素、過フッ素酸、フッ化アルカリ金属塩、フッ化アルカリ土類金属塩、フッ化アンモニウム、フッ化テトラメチルアンモニウム、二フッ化アンモニウム、二フッ化エチレンジアンモニウム、三フッ化ジエチレントリアンモニウムおよびこれらの混合物からなる群から選択される、請求項１６に記載の組成物。
【請求項１９】  キレート化剤がエチレンジアミン四酢酸、Ｎ−ヒドロキシエチルエチレンジアミン三酢酸、ニトリロ三酢酸、ジエチレントリアミン五酢酸、エタノールジグリシネートおよびこれらの混合物からなる群から選択される、請求項１６に記載の組成物。
【請求項２０】  塩が過硫酸アンモニウム、硝酸アンモニウム、過硫酸カリウム、亜硫酸カリウム、炭酸カリウム、フタル酸水素カリウム、硫酸ヒドロキシルアミンおよびこれらの混合物からなる群から選択される、請求項１６に記載の組成物。
【請求項２１】  組成物のｐＨが９〜１１である、請求項１に記載の組成物。
【請求項２２】  組成物のｐＨが９〜１０である、請求項１に記載の組成物。
【請求項２３】  シリカ、アルミナ、セリアおよびこれらの混合物からなる群から選択される研磨材；
過酸化水素、フェロシアン化カリウム、二クロム酸カリウム、ヨウ素酸カリウム、臭素酸カリウム、三酸化バナジウム、次亜塩素酸、次亜塩素酸ナトリウム、次亜塩素酸カリウム、次亜塩素酸カルシウム、次亜塩素酸マグネシウム、硝酸鉄、過硫酸アンモニウム、過マンガン酸カリウムおよびこれらの混合物からなる群から選択される酸化剤；
酸；
腐食防止剤；
安定剤；および
水
を含み、少なくとも３０日の有効貯蔵寿命を有する、化学的機械的研磨スラリー組成物。
【請求項２４】  （ａ）少なくとも一つの金属層を有する支持体を用意する段階；
（ｂ）（１）シリカ、アルミナ、セリアおよびこれらの混合物からなる群から選択される研磨材；および（２）過酸化水素、フェロシアン化カリウム、二クロム酸カリウム、ヨウ素酸カリウム、臭素酸カリウム、三酸化バナジウム、次亜塩素酸、次亜塩素酸ナトリウム、次亜塩素酸カリウム、次亜塩素酸カルシウム、次亜塩素酸マグネシウム、硝酸鉄、過硫酸アンモニウム、過マンガン酸カリウムおよびこれらの混合物からなる群から選択される酸化剤を含み、少なくとも３０日の有効貯蔵寿命を有するスラリー組成物を適用する段階；および
（ｃ）上記の支持体を上記のスラリーで化学的機械的に研磨する段階
を含む、支持体の研磨方法。
【請求項２５】  スラリーを段階（ｂ）で使用する前に３日〜２１日間貯蔵する、請求項２４に記載の方法。
【請求項２６】  シリカ、アルミナ、セリアおよびこれらの混合物からなる群から選
択される研磨材を、過酸化水素、フェロシアン化カリウム、二クロム酸カリウム、ヨウ素酸カリウム、臭素酸カリウム、三酸化バナジウム、次亜塩素酸、次亜塩素酸ナトリウム、次亜塩素酸カリウム、次亜塩素酸カルシウム、次亜塩素酸マグネシウム、硝酸鉄、過硫酸アンモニウム、過マンガン酸カリウムおよびこれらの混合物からなる群から選択される酸化剤と混合して化学的機械的研磨スラリーを形成する段階；および
上記のスラリーを使用前に貯蔵する段階を含み、
上記のスラリーが少なくとも３０日の有効貯蔵寿命を有する、化学的機械的研磨スラリーの製造方法。
【手続補正書】
【提出日】平成15年3月11日(2003.3.11)
【手続補正１】
【補正対象書類名】明細書
【補正対象項目名】特許請求の範囲
【補正方法】変更
【補正の内容】
【特許請求の範囲】
【請求項１】
下記化合物群：
１４−Ｏ−［（シクロアルキル−スルファニル）アセチル］ムチリン類；
１４−Ｏ−［（シクロアルキル−アルキル−スルファニル）アセチル］ムチリン類；
１４−Ｏ−［（シクロアルコキシ）アセチル］ムチリン類；または、
１４−Ｏ−［（シクロアルキル−アルコキシ）アセチル］ムチリン類；
から選択される化合物。
【請求項２】
下記式：
【化１】
2004502755.tif 000001
［式中、
Ｒは水素であり；
Ｒ１は水素または下記式：
【化２】
2004502755.tif 000002
の基であり；
ここで、
Ｘはイオウ、酸素またはＮＲ１０であり、ここで、Ｒ１０は水素またはアルキルであり；および、
Ｒ９はアミノ、アルキル、アリールまたはヘテロサイクリルであり；および、Ｘが酸素である場合は、Ｒ９は更に水素でもあり；
Ｙはイオウまたは酸素であり；
Ｒ２は水素または１つ以上の置換基であり；
Ｒ４は水素またはアルキルであり；Ｒ５は水素またはアルキルであり；
Ｒ３およびＲ３’は水素、重水素またはハロゲンであり；
Ｒ６、Ｒ７およびＲ８は水素または重水素であり；
ｍは０〜４から選択される数であり；
ｎは０〜１０から選択される数であり；および、
ｐは０〜１０から選択される数であり；ただし、ｎ＋ｐは少なくとも１である。］の化合物。
【請求項３】
医薬用の担体または希釈剤の少なくとも１種とともに請求項１または２の何れか１項に記載の化合物を含有する医薬組成物。
【請求項４】
請求項１または２の何れか１項に記載の化合物の有効量を微生物疾患の治療の必要な対象に投与することを包含する該疾患の治療方法。
【手続補正書】
【提出日】平成15年1月15日(2003.1.15)
【手続補正１】
【補正対象書類名】明細書
【補正対象項目名】特許請求の範囲
【補正方法】変更
【補正の内容】
【特許請求の範囲】
【請求項１】
遊離または塩の形態の式
【化１】
2004502756.tif 000001
〔式中、
Ａｒ１は、１以上のハロゲン原子により置換されたフェニルであり、
Ａｒ２は、非置換またはハロゲン、シアノ、ヒドロキシ、ニトロ、Ｃ１−Ｃ８−アルキル、Ｃ１−Ｃ８−ハロアルキル、Ｃ１−Ｃ８−アルコキシもしくはＣ１−Ｃ８−アルコキシカルボニルから選択される１以上の置換基により置換されたフェニルまたはナフチルであり、
Ｒ１は、水素または所望によりヒドロキシ、Ｃ１−Ｃ８−アルコキシ、アシロキシ、Ｎ（Ｒ２）Ｒ３、ハロゲン、カルボキシ、Ｃ１−Ｃ８−アルコキシカルボニル、−ＣＯＮ（Ｒ４）Ｒ５または一価の環状有機基により置換されていてもよいＣ１−Ｃ８−アルキルであり、
Ｒ２およびＲ３は、それぞれ独立して水素またはＣ１−Ｃ８−アルキルであるか、あるいはＲ２が水素であり、かつ、Ｒ３はアシルまたは−ＳＯ２Ｒ６であるか、あるいはＲ２およびＲ３はそれらが結合している窒素原子と一体となって５または６員の複素環を表し、
Ｒ４およびＲ５は、それぞれ独立して水素またはＣ１−Ｃ８−アルキルであるか、あるいはＲ４およびＲ５は、それらが結合している窒素原子と一体となって５または６員の複素環を示し、
Ｒ６は、Ｃ１−Ｃ８−アルキル、Ｃ１−Ｃ８−ハロアルキル、または所望によりＣ１−Ｃ８−アルキルにより置換されていてもよいフェニルであり、そして
ｎは１、２、３または４である、
ただし、Ａｒ１がｐ−クロロフェニルであり、かつ、Ｒ１は水素である場合には、Ａｒ２はフェニルまたはｐ−ニトロフェニルではない。〕
の化合物。
【請求項２】
Ａｒ２が、ハロゲン、シアノ、ニトロまたはＣ１−Ｃ４−アルコキシである置換基の一置換フェニルであるか；ハロゲン、シアノ、ヒドロキシ、ニトロ、Ｃ１−Ｃ４−アルコキシ、Ｃ１−Ｃ４−アルキルおよびＣ１−Ｃ４−ハロアルキルから選択される置換基の二置換フェニルであるか；あるいは、ハロゲン、ヒドロキシ、Ｃ１−Ｃ４−アルコキシおよびＣ１−Ｃ４−アルコキシカルボニルから選択される置換基の三置換フェニルであるか；あるいはハロゲンである置換基の五置換フェニルである、請求項１に記載の化合物。
【請求項３】
Ｒ１が所望によりヒドロキシ、Ｃ１−Ｃ８−アルコキシ、アシロキシ、ハロゲン、カルボキシ、Ｃ１−Ｃ８−アルコキシカルボニル、−ＣＯＮ（Ｒ４）Ｒ５または一価の環状有機基により置換されていてもよいＣ１−Ｃ４−アルキルである、請求項１に記載の化合物。
【請求項４】
Ａｒ１は、示されたカルボニル基のパラ位がフッ素または塩素により置換されたフェニルであり、そして、所望により示されたカルボニル基のオルト位がさらにハロゲンにより置換されていてもよく、
Ａｒ２は、ハロゲン、シアノ、ニトロおよびＣ１−Ｃ４−アルコキシから選択される置換基により一置換されたフェニルであるか、ハロゲン、シアノ、ヒドロキシ、Ｃ１−Ｃ４−アルコキシ、Ｃ１−Ｃ４−アルキル、Ｃ１−Ｃ４−ハロアルキルおよびニトロから選択される同一または異なっていてもよい２つの置換基により置換されたフェニルであるか、またはハロゲン、ヒドロキシ、Ｃ１−Ｃ４−アルコキシおよびＣ１−Ｃ４−アルコキシカルボニルから選択される同一または異なっていてもよい３つの置換基により置換されたフェニルであり、
Ｒ１は水素、Ｃ１−Ｃ４−アルキルあるいはヒドロキシ、Ｃ３−Ｃ８−シクロアルキル、フェニル、Ｃ１−Ｃ４−アルキルスルホニルアミノ−置換フェニルまたは窒素、酸素および硫黄から選択される１以上の環内ヘテロ原子を有する５または６員の複素環芳香族基により置換されたＣ１−Ｃ４−アルキルであり、そしてｎは１または２である、
請求項１に記載の化合物。
【請求項５】
Ａｒ１は、示されたカルボニル基のパラ位がフッ素または塩素により置換されたフェニルであり、
Ａｒ２は、示された−ＣＨ＝ＣＨ−基のオルト位がＣ１−Ｃ４−アルコキシによりそしてＣ１−Ｃ４−アルコキシ基のパラ位がシアノ、ハロゲンまたはＣ１−Ｃ４−アルコキシにより置換されたフェニルであり、
Ｒ１は、ヒドロキシ、フェニル、Ｃ１−Ｃ４−アルキルスルホニルアミノ−置換フェニルあるいは窒素、酸素および硫黄から選択される１または２つの環内ヘテロ原子を有する５または６員の複素環芳香族基により置換されたＣ１−Ｃ４−アルキルであり、そして
ｎは１である、
請求項１に記載の化合物。
【請求項６】
遊離または塩の形態の式
【化２】
2004502756.tif 000002
〔式中、
Ｒａ’は水素であり、そしてＲａ、Ｒｂ、Ｒｃ、Ｒｄ、Ｒｅ、Ｒｆ、およびＲｇは下記の表
【表１】
2004502756.tif 000003
【表２】
2004502756.tif 000004
【表３】
2004502756.tif 000005
で定義されたものであるか、あるいはＲａおよびＲａ’はフッ素であり、Ｒｂ、Ｒｄ、ＲｅおよびＲｇは水素であり、Ｒｃはメトキシであり、そしてＲｆは臭素である。〕
の化合物。
【請求項７】
抗炎症薬、気管支拡張薬または抗ヒスタミン薬と組み合わせた、請求項１〜６のいずれかに記載の化合物。
【請求項８】
所望により薬学的に許容される希釈剤または担体ともに、請求項１〜７のいずれかに記載の化合物を活性成分として含む、ＣＣＲ−３により介在される病状を処置するための医薬組成物。
【請求項９】
所望により薬学的に許容される希釈剤または担体ともに、請求項１〜７のいずれかに記載の化合物を活性成分として含む、炎症性またはアレルギー性の病状を処置するための医薬組成物。
【請求項１０】
所望により薬学的に許容される希釈剤または担体ともに、請求項１〜７のいずれかに記載の化合物を活性成分として含む、目の炎症性の病状または疾患を処置するための医薬組成物。
【請求項１１】
式Ｉの化合物の製造方法であって、
（ｉ）（Ａ）  式
【化３】
2004502756.tif 000006
の化合物を式
【化４】
2004502756.tif 000007
〔式中、
Ａｒ１、Ａｒ２、Ｒ１およびｎは前に定義したものである。〕
の化合物またはそのアミド形成誘導体と反応させること、または
（Ｂ）  式ＩＩＩの化合物またはそのアミド形成誘導体を、式
【化５】
2004502756.tif 000008
〔式中、
Ａｒ１、Ｒ１およびｎは前に定義したものであり、Ｚは示された窒素原子と化学的に結合した固相の基質を示す。〕
の化合物と反応させ、そして得られた生成物を基質からはずしてＺを水素により置換すること；そして
（ｉｉ）遊離または塩の形態の生成物を回収すること、
を含む方法。
【手続補正書】
【提出日】平成15年2月28日(2003.2.28)
【手続補正１】
【補正対象書類名】明細書
【補正対象項目名】特許請求の範囲
【補正方法】変更
【補正の内容】
【特許請求の範囲】
【請求項１】
外因性損傷からケラチン繊維を保護する又は外因性損傷後のケラチン繊維を修復するための組成物であって、
Ｃ３からＣ５単糖類及びそれらの誘導体から選択される少なくとも一つの糖を、ケラチン繊維を保護する又はケラチン繊維を修復するのに有効な量含む組成物。
【請求項２】
該Ｃ３からＣ５単糖類がペントース類から選択される、請求項１記載の外因性損傷からケラチン繊維を保護する又は外因性損傷後のケラチン繊維を修復するための組成物。
【請求項３】
該ペントース類がアルドペントース類及びケトペントース類から選択される、請求項２記載の外因性損傷からケラチン繊維を保護する又は外因性損傷後のケラチン繊維を修復するための組成物。
【請求項４】
該アルドペントース類がキシロース、アラビノース、リキソース及びリボースから選択される、請求項３記載の外因性損傷からケラチン繊維を保護する又は外因性損傷後のケラチン繊維を修復するための組成物。
【請求項５】
該ケトペントース類がリブロース及びキシルロースから選択される、請求項３記載の外因性損傷からケラチン繊維を保護する又は外因性損傷後のケラチン繊維を修復するための組成物。
【請求項６】
該Ｃ３からＣ５単糖類がテトロース類から選択される、請求項１記載の外因性損傷からケラチン繊維を保護する又は外因性損傷後のケラチン繊維を修復するための組成物。
【請求項７】
該テトロース類がアルドテトロース類及びケトテトロース類から選択される、請求項６記載の外因性損傷からケラチン繊維を保護する又は外因性損傷後のケラチン繊維を修復するための組成物。
【請求項８】
該アルドテトロース類がエリトロース及びトレオースから選択される、請求項７記載の外因性損傷からケラチン繊維を保護する又は外因性損傷後のケラチン繊維を修復するための組成物。
【請求項９】
該少なくとも一つの糖がエリトルロースである、請求項１記載の外因性損傷からケラチン繊維を保護する又は外因性損傷後のケラチン繊維を修復するための組成物。
【請求項１０】
該Ｃ３からＣ５単糖類がトリオース類から選択される、請求項１記載の外因性損傷からケラチン繊維を保護する又は外因性損傷後のケラチン繊維を修復するための組成物。
【請求項１１】
該トリオース類がアルドトリオース類及びケトトリオース類から選択される、請求項１０記載の外因性損傷からケラチン繊維を保護する又は外因性損傷後のケラチン繊維を修復するための組成物。
【請求項１２】
該少なくとも一つの糖がグリセルアルデヒドである、請求項１記載の外因性損傷からケラチン繊維を保護する又は外因性損傷後のケラチン繊維を修復するための組成物。
【請求項１３】
該少なくとも一つの糖がジヒドロキシアセトンである、請求項１記載の外因性損傷からケラチン繊維を保護する又は外因性損傷後のケラチン繊維を修復するための組成物。
【請求項１４】
該Ｃ３からＣ５単糖類がフラノース類及びそれらの誘導体から選択される、請求項１記載の外因性損傷からケラチン繊維を保護する又は外因性損傷後のケラチン繊維を修復するための組成物。
【請求項１５】
該Ｃ３からＣ５単糖類の誘導体がイミン誘導体、ヘミアセタール誘導体、ヘミケタール誘導体及び酸化された誘導体から選択される、請求項１記載の外因性損傷からケラチン繊維を保護する又は外因性損傷後のケラチン繊維を修復するための組成物。
【請求項１６】
該少なくとも一つの糖がリキソジルイミンである、請求項１記載の外因性損傷からケラチン繊維を保護する又は外因性損傷後のケラチン繊維を修復するための組成物。
【請求項１７】
該Ｃ３からＣ５単糖類の誘導体が該Ｃ３からＣ５単糖類のダイマー及びオリゴマーから選択される、請求項１記載の外因性損傷からケラチン繊維を保護する又は外因性損傷後のケラチン繊維を修復するための組成物。
【請求項１８】
該少なくとも一つの糖がキシロビオースである、請求項１記載の外因性損傷からケラチン繊維を保護する又は外因性損傷後のケラチン繊維を修復するための組成物。
【請求項１９】
該組成物が少なくとも一つの追加の糖を更に含み、該少なくとも一つの追加の糖が、該Ｃ３からＣ５単糖類及びそれらの誘導体とは異なるものである、請求項１記載の外因性損傷からケラチン繊維を保護する又は外因性損傷後のケラチン繊維を修復するための組成物。
【請求項２０】
該少なくとも一つの追加の糖が単糖類、二糖類及び多糖類から選択される、請求項１９記載の外因性損傷からケラチン繊維を保護する又は外因性損傷後のケラチン繊維を修復するための組成物。
【請求項２１】
該単糖類がヘキソース類から選択される、請求項２０記載の外因性損傷からケラチン繊維を保護する又は外因性損傷後のケラチン繊維を修復するための組成物。
【請求項２２】
該ヘキソース類がアロース、アルトロース、グルコース、マンノース、グロース、イドース、ガラクトース、タロース、ソルボース、プシコース、フルクトース及びタガトースから選択される、請求項２１記載の外因性損傷からケラチン繊維を保護する又は外因性損傷後のケラチン繊維を修復するための組成物。
【請求項２３】
該少なくとも一つの糖が、組成物の総重量に対して０．０１％から５．００％の範囲の濃度で該組成物中に存在する、請求項１記載の外因性損傷からケラチン繊維を保護する又は外因性損傷後のケラチン繊維を修復するための組成物。
【請求項２４】
該少なくとも一つの追加の糖が、組成物の総重量に対して０．０１％から５．００％の範囲の濃度で該組成物中に存在する、請求項１９記載の外因性損傷からケラチン繊維を保護する又は外因性損傷後のケラチン繊維を修復するための組成物。
【請求項２５】
該組成物が、液体、油、ペースト、スティック、分散体、エマルション、ローション、ゲル又はクリームの形態である、請求項１記載の外因性損傷からケラチン繊維を保護する又は外因性損傷後のケラチン繊維を修復するための組成物。
【請求項２６】
該ケラチン繊維が毛髪、まつ毛及び眉毛から選択される、請求項１記載の外因性損傷からケラチン繊維を保護する又は外因性損傷後のケラチン繊維を修復するための組成物。
【請求項２７】
外因性損傷が熱、紫外線照射又は化学処理に起因するものである、請求項１記載の外因性損傷からケラチン繊維を保護する又は外因性損傷後のケラチン繊維を修復するための組成物。
【請求項２８】
外因性損傷からケラチン繊維を保護する又は外因性損傷後のケラチン繊維を修復する方法であって、
請求項１から２７のいずれか一項に記載された組成物を該ケラチン繊維に適用することを含む方法。
【請求項２９】
外因性損傷からケラチン繊維を保護する又は外因性損傷後のケラチン繊維を修復する方法であって、
請求項１から２７のいずれか一項に記載された組成物をケラチン繊維に適用し；そして、
該ケラチン繊維を加熱することを含み、
該組成物が該加熱前又は該加熱中に適用される方法。
【請求項３０】
該組成物が外因性損傷からケラチン繊維を保護し、そして外因性損傷後のケラチン繊維を修復する、請求項２８又は２９に記載された方法。
【手続補正書】
【提出日】平成14年7月26日(2002.7.26)
【手続補正１】
【補正対象書類名】明細書
【補正対象項目名】特許請求の範囲
【補正方法】変更
【補正の内容】
【特許請求の範囲】
【請求項１】
心臓組織に投与される血管形成トロンビン誘導体ペプチドを含有してなる、心臓組織修復を促進するための医薬組成物。
【請求項２】
ペプチドが、配列Ａｒｇ−Ｇｌｙ−Ａｓｐ−Ａｌａ（配列番号：１）を有するトロンビンレセプター結合ドメイン；およびセリンエステラーゼ保存配列を含有してなる請求項１記載の組成物。
【請求項３】
セリンエステラーゼ保存配列が、Ａｓｐ−Ａｌａ−Ｃｙｓ−Ｇｌｕ−Ｇｌｙ−Ａｓｐ−Ｓｅｒ−Ｇｌｙ−Ｇｌｙ−Ｐｒｏ−Ｐｈｅ−Ｖａｌ（配列番号：２）を含有してなる請求項２記載の組成物。
【請求項４】
トロンビン誘導体ペプチドが、アミノ酸配列：Ａｌａ−Ｇｌｙ−Ｔｙｒ−Ｌｙｓ−Ｐｒｏ−Ａｓｐ−Ｇｌｕ−Ｇｌｙ−Ｌｙｓ−Ａｒｇ−Ｇｌｙ−Ａｓｐ−Ａｌａ−Ｃｙｓ−Ｇｌｕ−Ｇｌｙ−Ａｓｐ−Ｓｅｒ−Ｇｌｙ−Ｇｌｙ−Ｐｒｏ−Ｐｈｅ−Ｖａｌ（配列番号：３）を含有してなる請求項２記載の組成物。
【請求項５】
トロンビン誘導体ペプチドが、アミノ酸配列Ａｌａ−Ｇｌｙ−Ｔｙｒ−Ｌｙｓ−Ｐｒｏ−Ａｓｐ−Ｇｌｕ−Ｇｌｙ−Ｌｙｓ−Ａｒｇ−Ｇｌｙ−Ａｓｐ−Ａｌａ−Ｃｙｓ−Ｇｌｕ−Ｇｌｙ−Ａｓｐ−Ｓｅｒ−Ｇｌｙ−Ｇｌｙ−Ｐｒｏ−Ｐｈｅ−Ｖａｌ（配列番号：４）からなる請求項１記載の組成物。
【請求項６】
ペプチドが、心臓手術の間または心臓手術の後に投与される請求項１〜５いずれか記載の組成物。
【請求項７】
ペプチドが、心臓組織への注射により投与される請求項１〜６いずれか記載の組成物。
【請求項８】
徐放性製剤である請求項１〜７いずれか記載の組成物。
【請求項９】
徐放性製剤が、血管形成トロンビン誘導体ペプチドを含有してなるポリ乳酸／ポリグリコール酸微粒子である請求項８記載の組成物。
【請求項１０】
心臓組織に投与される血管形成トロンビン誘導体ペプチドを含有してなる、血管再生を刺激するための医薬組成物。
【請求項１１】
血管形成トロンビン誘導体ペプチドを含有してなる、血管内皮細胞増殖を刺激するための医薬組成物。
【請求項１２】
血管形成トロンビン誘導体ペプチドを含有してなる、バルーン血管形成術後の患者において再狭窄を阻害するための医薬組成物。
【請求項１３】
ペプチドがバルーン血管形成カテーテル上にコートされる請求項１２記載の組成物。
【請求項１４】
血管形成トロンビン誘導体ペプチドが全身に投与される請求項１２記載の組成物。
【請求項１５】
血管形成トロンビン誘導体ペプチドが、バルーンで誘発された血管の損傷領域に局所的に投与される請求項１２記載の組成物。
【請求項１６】
血管形成トロンビン誘導体ペプチドでコートされたステントが、バルーンで誘発された損傷領域の血管に挿入される請求項１２記載の組成物。
【請求項１７】
ペプチドが、配列Ａｒｇ−Ｇｌｙ−Ａｓｐ−Ａｌａ（配列番号：１）を有するトロンビンレセプター結合ドメイン；およびセリンエステラーゼ保存配列を含有してなる請求項１２〜１６いずれか記載の組成物。
【請求項１８】
セリンエステラーゼ保存配列が、Ａｓｐ−Ａｌａ−Ｃｙｓ−Ｇｌｕ−Ｇｌｙ−Ａｓｐ−Ｓｅｒ−Ｇｌｙ−Ｇｌｙ−Ｐｒｏ−Ｐｈｅ−Ｖａｌ（配列番号：２）を含有してなる請求項１７記載の組成物。
【請求項１９】
トロンビン誘導体ペプチドが、アミノ酸配列：Ａｌａ−Ｇｌｙ−Ｔｙｒ−Ｌｙｓ−Ｐｒｏ−Ａｓｐ−Ｇｌｕ−Ｇｌｙ−Ｌｙｓ−Ａｒｇ−Ｇｌｙ−Ａｓｐ−Ａｌａ−Ｃｙｓ−Ｇｌｕ−Ｇｌｙ−Ａｓｐ−Ｓｅｒ−Ｇｌｙ−Ｇｌｙ−Ｐｒｏ−Ｐｈｅ−Ｖａｌ（配列番号：３）を含有してなる請求項１７記載の組成物。
【請求項２０】
トロンビン誘導体ペプチドが、アミノ酸配列Ａｌａ−Ｇｌｙ−Ｔｙｒ−Ｌｙｓ−Ｐｒｏ−Ａｓｐ−Ｇｌｕ−Ｇｌｙ−Ｌｙｓ−Ａｒｇ−Ｇｌｙ−Ａｓｐ−Ａｌａ−Ｃｙｓ−Ｇｌｕ−Ｇｌｙ−Ａｓｐ−Ｓｅｒ−Ｇｌｙ−Ｇｌｙ−Ｐｒｏ−Ｐｈｅ−Ｖａｌ（配列番号：４）からなる請求項１２〜１６いずれか記載の組成物。
【請求項２１】
血管形成トロンビン誘導体ペプチドでコートされたステント。
【請求項２２】
トロンビン誘導体ペプチドを含有してなる、血管閉塞を阻害するための医薬組成物。
【請求項２３】
ペプチドのカルボキシ末端がアミド化されている請求項１〜２０および２２いずれか記載の組成物。
【請求項２４】
ペプチドのカルボキシ末端がアミド化されている請求項２１記載のステント。